【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
予め定められた始動条件の成立を契機として、遊技者に有利な特別遊技の実行の可否を抽選により決定する特別遊技実行決定手段と、
前記特別遊技実行決定手段による特別遊技の実行の可否の決定結果を報知する変動演出を実行する変動演出実行手段と、
前記変動演出実行手段による変動演出の実行中に、前記特別遊技実行決定手段による決定結果に応じた内容の報知を行う変動演出中報知を実行可能な変動演出中報知実行手段と、
前記特別遊技実行決定手段により特別遊技の実行が決定された場合に、特別遊技を実行する特別遊技実行手段と、
前記特別遊技実行手段による特別遊技の実行中に、当該実行中の特別遊技に関する内容の報知を行う特別遊技中報知を実行可能な特別遊技中報知実行手段と、
前記変動演出中報知又は前記特別遊技中報知が行われる旨を示唆する演出であって、前記特別遊技実行手段による特別遊技の実行開始前における所定の時点から開始され、当該特別遊技の実行開始後に行われる前記特別遊技中報知又は当該特別遊技の実行開始後に行われる前記変動演出中報知の実行に応じて終了する特定示唆演出を実行する特定示唆演出実行手段と、を備えたことを特徴とする遊技機。
【請求項２】
前記特別遊技実行手段により実行可能な特別遊技として、第１特別遊技と、当該第１特別遊技よりも有利な第２特別遊技とを備え、
前記変動演出実行手段は、
前記特別遊技実行手段により前記第２特別遊技が実行される場合に、前記特別遊技実行決定手段により特別遊技の実行が決定された旨を報知するとともに、前記第１特別遊技の実行を示唆する特定変動演出を実行可能であり、
前記特別遊技中報知実行手段は、
前記特別遊技実行手段による前記第２特別遊技の実行中のいずれかの時点で、前記第２特別遊技の実行を報知する特別遊技中報知を実行可能であり、
前記特定示唆演出実行手段は、
前記特別遊技中報知実行手段により前記第２特別遊技の実行を報知する特別遊技中報知が行われる旨を示唆する特定示唆演出を実行可能であることを特徴とする請求項１記載の遊技機。
【請求項３】
予め定められた始動条件の成立を契機として、遊技者に有利な特別遊技の実行の可否を抽選により決定する特別遊技実行決定手段と、
前記特別遊技実行決定手段による特別遊技の実行の可否の決定結果を報知する変動演出を実行する変動演出実行手段と、
前記特別遊技実行決定手段により特別遊技の実行が決定された場合に、特別遊技を実行する特別遊技実行手段と、
前記特別遊技の終了後の変動演出中に行われる演出を報知する演出報知を実行可能な変動演出中報知実行手段と、
前記演出報知が行われる旨を示唆する演出であって、前記特別遊技実行手段による特別遊技の終了前における所定の時点から開始され、当該特別遊技の実行開始後に行われる前記演出報知の実行に応じて終了する特定示唆演出を実行する特定示唆演出実行手段と、を備えたことを特徴とする遊技機。
【手続補正２】
【補正対象書類名】明細書
【補正対象項目名】０００７
【補正方法】変更
【補正の内容】
【０００７】
（１）本発明は、予め定められた始動条件の成立を契機として、遊技者に有利な特別遊技の実行の可否を抽選により決定する特別遊技実行決定手段（メインＣＰＵ１０１）と、前記特別遊技実行決定手段による特別遊技の実行の可否の決定結果を報知する変動演出を実行する変動演出実行手段（サブＣＰＵ３０１、メイン演出表示装置２１、画像制御基板）と、前記変動演出実行手段による変動演出の実行中に、前記特別遊技実行決定手段による決定結果に応じた内容の報知を行う変動演出中報知を実行可能な変動演出中報知実行手段（サブＣＰＵ３０１、メイン演出表示装置２１、画像制御基板）と、前記特別遊技実行決定手段により特別遊技の実行が決定された場合に、特別遊技を実行する特別遊技実行手段（メインＣＰＵ１０１）と、前記特別遊技実行手段による特別遊技の実行中に、当該実行中の特別遊技に関する内容の報知を行う特別遊技中報知を実行可能な特別遊技中報知実行手段（サブＣＰＵ３０１、メイン演出表示装置２１、画像制御基板）と、前記変動演出中報知又は前記特別遊技中報知が行われる旨を示唆する演出であって、前記特別遊技実行手段による特別遊技の実行開始前における所定の時点から開始され、当該特別遊技の実行開始後に行われる前記特別遊技中報知又は当該特別遊技の実行開始後に行われる前記変動演出中報知の実行に応じて終了する特定示唆演出を実行する特定示唆演出実行手段（サブＣＰＵ３０１、メイン演出表示装置２１、サブ演出表示装置２４、画像制御基板）と、を備えたことを特徴とする遊技機（パチンコ機Ｐ）である。
ここで、予め定められた始動条件としては、遊技球が流下可能な遊技領域に設けられた始動領域に遊技球が進入すること、大当たりの抽選結果を示す図柄の変動表示が終了すること等を定めることができる。
また、特別遊技実行決定手段による決定結果に応じた内容の報知としては、特別遊技の実行決定の期待度を示唆する報知や、実行が決定された特別遊技を示唆する報知等が挙げられる。
また、特別遊技に関する内容の報知としては、特別遊技の終了後に設定される遊技状態（たとえば、高確率遊技状態）の報知や、特別遊技中に実行されるラウンド遊技の回数の報知等が挙げられる。
【手続補正３】
【補正対象書類名】明細書
【補正対象項目名】０００９
【補正方法】変更
【補正の内容】
【０００９】
（２）また、本発明に係る遊技機は、前記特定示唆演出における所定段階の演出内容が当該所定段階の次の段階の演出内容に切り替わる時点を定めた切替時点テーブル（第２表示タイミングテーブル１２５ｂ）を備え、前記特定示唆演出実行手段は、前記切替時点テーブルに定められた時点に達すると、前記特定示唆演出における所定段階の演出内容を次の段階の演出内容に切り替えるようにしてもよい。
（３）また、本発明に係る遊技機は、前記特別遊技実行手段により実行可能な特別遊技として、第１特別遊技と、当該第１特別遊技よりも有利な第２特別遊技とを備え、前記変動演出実行手段は、前記特別遊技実行手段により前記第２特別遊技が実行される場合に、前記特別遊技実行決定手段により特別遊技の実行が決定された旨を報知するとともに、前記第１特別遊技の実行を示唆する特定変動演出（発展ありパターンＣ）を実行可能であり、前記特別遊技中報知実行手段は、前記特別遊技実行手段による前記第２特別遊技の実行中のいずれかの時点で、前記第２特別遊技の実行を報知する特別遊技中報知（昇格演出）を実行可能であり、前記特定示唆演出実行手段は、前記特別遊技中報知実行手段により前記第２特別遊技の実行を報知する特別遊技中報知が行われる旨を示唆する特定示唆演出を実行可能であるようにしてもよい。
ここで、特別遊技の終了後に所定の確率で大当たりに当選する低確率遊技状態が設定される特別遊技を第１特別遊技とし、特別遊技の終了後に第１特別遊技よりも高い確率で大当たりに当選する高確率遊技状態が設定される特別遊技を第２特別遊技とすることができる。また、特別遊技中に所定回数のラウンド遊技が実行される特別遊技を第１特別遊技とし、特別遊技中に第１特別遊技よりも多い回数のラウンド遊技が実行される特別遊技を第２特別遊技とすることができる。
（４）また、本発明は、予め定められた始動条件の成立を契機として、遊技者に有利な特別遊技の実行の可否を抽選により決定する特別遊技実行決定手段（メインＣＰＵ１０１）と、前記特別遊技実行決定手段による特別遊技の実行の可否の決定結果を報知する変動演出を実行する変動演出実行手段（サブＣＰＵ３０１、メイン演出表示装置２１、画像制御基板）と、前記特別遊技実行決定手段により特別遊技の実行が決定された場合に、特別遊技を実行する特別遊技実行手段（メインＣＰＵ１０１）と、前記特別遊技の終了後の変動演出中に行われる演出を報知する演出報知を実行可能な変動演出中報知実行手段（サブＣＰＵ３０１、メイン演出表示装置２１、画像制御基板）と、前記演出報知が行われる旨を示唆する演出であって、前記特別遊技実行手段による特別遊技の終了前における所定の時点から開始され、当該特別遊技の実行開始後に行われる前記演出報知の実行に応じて終了する特定示唆演出を実行する特定示唆演出実行手段（サブＣＰＵ３０１、メイン演出表示装置２１、サブ演出表示装置２４、画像制御基板）と、を備えたことを特徴とする遊技機（パチンコ機Ｐ）である。
ここで、予め定められた始動条件としては、上述と同様に、遊技球が流下可能な遊技領域に設けられた始動領域に遊技球が進入すること、大当たりの抽選結果を示す図柄の変動表示が終了すること等を定めることができる。
また、図柄に起因して決定される遊技状態は、たとえば、特別遊技終了後に設定される遊技状態が図柄に対応付けられている場合には、図柄に対応付けられた遊技状態が相当する。また、特別遊技中の遊技結果に応じて、当該特別遊技の終了後の遊技状態が設定されるようになっており、遊技状態が設定される遊技結果が得られやすい特別遊技の実行が図柄に対応付けられている場合には、図柄に対応付けられた特別遊技中の遊技結果に応じた遊技状態が相当する。